(57)【要約】【課題】  高い機械的強度をもって靴の踵に取り付くことができる一方、衝撃吸収性に優れて履き心地も良く、かつ、低コストで済むトップリフトを提供する。【解決手段】  靴の踵の底に当接する踵底当接面11aと、当該踵底当接面11aに対向する底面11bとの間に厚みを有するトップリフト主体部11と、このトップリフト主体部11の踵底当接面11aから突出し、靴の踵の底に開けられた嵌入孔内に嵌入することでトップリフト主体部11を踵の底に物理的に固定する嵌入軸部12とを有して成るトップリフト10として、嵌入軸部12は硬質ウレタン樹脂製、トップリフト主体部11は軟質ウレタン樹脂製とし、これら嵌入軸部12とトップリフト主体部11とがインサート成形によって互いに接着関係とされたものとする。【選択図】  図１
2005304978.tif 000002
【特許請求の範囲】
【請求項１】
靴の踵の底に当接する踵底当接面と、該踵底当接面に対向する底面との間に厚みを有するトップリフト主体部と、該トップリフト主体部の該踵底当接面から突出し、上記靴の踵の底に開けられた嵌入孔内に嵌入することで該トップリフト主体部を該踵の底に物理的に固定する嵌入軸部とを有して成るトップリフトであって；
上記嵌入軸部は硬質ウレタン樹脂製、上記トップリフト主体部は軟質ウレタン樹脂製であって、該嵌入軸部と該トップリフト主体部とがインサート成形により互いに接着関係とされていること；
を特徴とするトップリフト。
【請求項２】
請求項１記載のトップリフトであって；
上記嵌入軸部の根本は該嵌入軸部よりも面積が大きく、該嵌入軸部と一体に硬質ウレタン樹脂により作られた基部となっており；
該基部が上記トップリフト主体部内に埋設固定されていること；
を特徴とするトップリフト。
【請求項３】
請求項２記載のトップリフトであって；
上記基部の全体が上記トップリフト主体部内に完全に埋設されており、該基部の各面の全てが該トップリフト主体部を構成する上記軟質ウレタン樹脂により包み込まれていること；
を特徴とするトップリフト。
【請求項４】
請求項２記載のトップリフトであって；
上記基部は、該基部の上記靴の踵の底を向いた面が上記トップリフト主体部の上記踵底当接面に露出するように、該トップリフト主体部に埋設されていること；
を特徴とするトップリフト。
【請求項５】
請求項２記載のトップリフトであって；
ｎを２以上の整数として、上記嵌入軸部はｎ本有り；
ｍを２以上で上記ｎ以下の整数として、上記ｎ本の嵌入軸部の中のｍ本の嵌入軸部は一つの基部を共用するように構成されていること；
を特徴とするトップリフト。
【請求項６】
請求項１記載のトップリフトであって；
上記嵌入軸部と上記トップリフト主体部の色が異なっていること；
を特徴とするトップリフト。
【請求項７】
請求項１記載のトップリフトであって；
上記嵌入軸部の外周面にはローレットが設けられていること；
を特徴とするトップリフト。
【発明の詳細な説明】
【技術分野】
【０００１】
本発明は、特にハイヒールにおいて有効な、靴の踵の底に取り付けて用いられるトップリフトの改良に関する。
【背景技術】
【０００２】
従来からも、靴の踵の底面に取り付けることで、そのまま接地させたのでは磨耗し易い踵を保護し、かつまた歩行時の衝撃吸収機能も呈するようなトップリフトが用いられている。そして特に、ハイヒールのように踵の高さがかなり取れるものでは、こうしたトップリフトは釘打等で取り付けるのではなく、踵部分への単なる押し込み作業という、作業性の良い手法で取り付けられるようになっているものが多い。ただしもちろん、磨り減れば取り替えることができる程度の強度で取り付けられる。
【０００３】
このような、言わば押し込み取り付け型のトップリフト10は、一般には図４(A) に示しているように、靴の踵30の底に当接する踵底当接面11aと、これに対向し、地面に接する底面（接地面）11bとの間に厚みを有する板状ないしブロック状のトップリフト主体部11と、このトップリフト主体部11の踵底当接面11aから突出し、靴の踵30側に穿たれた嵌入孔31内に嵌入（圧入）することで、トップリフト主体部11を踵30の底に物理的に固定する嵌入軸部12とから成っている。なお、嵌入軸部12の外周面には摩擦力を増すことで固着力を増すために、ローレット12c が刻まれることが多く、また、トップリフト主体部11の接地面11bには通常、図４(B)に示すように、平面的には任意適当な幾何文様に沿い、厚み方向には適当なる凹凸を持つ滑り止め13等が施されている。
【０００４】
しかるに、従来のトップリフト10をその構造からしてもう少し詳しく見ると、概ね二つのタイプに分かれる。一つは図５(A) に示すように、嵌入軸部12とトップリフト主体部11とが本来は別部品の場合である。こうした場合、従来、一般に嵌入軸部12は根本に軸部径より大きな面積の基部12aを持つ一体の金属製（一般には鉄ないしアルミニウム製）とされ、この基部12aを覆うようにトップリフト主体部11をウレタン樹脂でインサート成形することで、トップリフト主体部11と嵌入軸部12とを固着関係にしている。
【０００５】
このタイプには、例えば下記特許文献１に認められるような変形例もある。すなわち、後述の理由から、このタイプのトップリフト10ではトップリフト主体部11を硬質ウレタン樹脂で作らねばならず、ために歩行時の衝撃吸収機能に乏しい。そこで、図５(A) 中、仮想線で示すように、トップリフト主体部11の底面11bを覆うように、さらにその上に軟質ウレタン樹脂の保護層板14を設けているのである。
【特許文献１】実公平5-6808号公報
【０００６】
これらに対し、他のタイプは、図５(B) に示すように、トップリフト主体部11と嵌入軸部12とを始めから特定のウレタン樹脂材料で単一部品としてモールド成形してしまうものである。
【発明の開示】
【発明が解決しようとする課題】
【０００７】
図５(A) に示したように、嵌入軸部12に金属製部材を用いる従来構造では、当該嵌入軸部12をしっかりと把持した状態を維持する必要から、その基部12aを覆うトップリフト主体部11には通常、硬度JIS.A90以上の硬質ウレタン樹脂を用いねばならない。そうでないと容易に引き剥がれてしまう。ところが、そのように硬いトップリフト主体部11では、靴の本質的な機能を損ない、衝撃吸収性が全くにしておろそかになって、着用者の脚への負担が大きくなる。また、コツコツ音も神経に障る他、耐摩耗性も低下し、幾ら滑り止め文様13を底面11bに施したにしても、滑り易くもなってしまう。
【０００８】
そこで、特許文献１に開示の発明では、硬質ウレタン樹脂製のトップリフト主体11の底面11b に、相対的には柔らかい軟質ウレタン樹脂による保護層板14を上張りしたのであるが、しかし実際には、その厚みはそれ程に厚く取ることはできず、したがって衝撃吸収性能は余り期待できない。薄いがために磨り減りも早いことから、却って要交換時期の到来を早めることもあるし、磨り減ったまま使用すれば、それは上掲の欠点がそのままに表れてきてしまうまでである。結局、この構造は、手間が掛かりコストが増す割に、製造者にとっても着用者にとっても、有利な構造になっているとは到底、言い難い。
【０００９】
図５(B)に示した従来構造の場合にも事情は同様である。図５(A)の構造に比べればコストは安くはなるが、嵌入軸部12までをも一体成形しているために、当該軸部12の強度を確保する必要上、用いるウレタン樹脂には、図５(A) 図示従来例において用いられていたよりもさらに硬いウレタン樹脂、例えば硬度JIS.A98以上もの高硬度樹脂を用いねばならないことになる。当然、トップリフト主体部11での衝撃吸収性能は不満足なものになり、着用感も悪いものになってしまう。
【００１０】
本発明はこうした点に鑑みてなされたもので、高い機械的強度をもって靴の踵に取り付くことができる一方、衝撃吸収性に優れて履き心地も良く、かつ、低コストで済むトップリフトを提供せんとするものである。
【課題を解決するための手段】
【００１１】
本発明は上記目的を達成するために、靴の踵の底に当接する踵底当接面と、当該踵底当接面に対向する底面との間に厚みを有するトップリフト主体部と、このトップリフト主体部の踵底当接面から突出し、靴の踵の底に開けられた嵌入孔内に嵌入することでトップリフト主体部を踵の底に物理的に固定する嵌入軸部とを有して成るトップリフトとして、嵌入軸部は硬質ウレタン樹脂製、トップリフト主体部は軟質ウレタン樹脂製であって、これら嵌入軸部とトップリフト主体部とがインサート成形により互いに接着関係とされているトップリフトを提案する。
【００１２】
こうした基本構造を満たした上で、本発明ではまた、嵌入軸部の根本は嵌入軸部よりも面積が大きく、嵌入軸部と一体に硬質ウレタン樹脂により作られた基部となっていて、この基部がトップリフト主体部内に埋設固定されているトップリフトも提案する。ここで、当該基部の全体がトップリフト主体部内に完全に埋設されており、もって基部の各面全てがトップリフト主体部を構成する軟質ウレタン樹脂により包み込まれているようにし、嵌入軸部とトップリフト主体部の相互の接着力を最大限に高めるようにしても良いし、そうではなく、基部にあって靴の踵の底を向いた面はトップリフト主体部の踵底当接面に露出するように、当該露出面を除く部分がトップリフト主体部内に埋設されていても良い。これであっても、インサート成形により十分な相互接着力を得ることができる。
【００１３】
トップリフト主体部に備えさせる嵌入軸部の本数や配置はもとより任意であるが、上述のような基部を設ける場合、ｎを２以上の整数として嵌入軸部がｎ本有る場合には、ｍを２以上で上記ｎ以下の整数として、当該ｎ本の嵌入軸部の中のｍ本の嵌入軸部は一つの基部を共用するように構成しても良い。
【００１４】
嵌入軸部の外周面にはローレットを設けることで摩擦に依る踵への固着力増強を図って良いことはもちろん、別の工夫として、嵌入軸部とトップリフト主体部の色とを異ならせても良い。これは、トップリフト主体部の磨り減り具合を着用者に可視表示するに有効である。つまり、トップリフト主体部とは異なる色の部分が見えてきたら、交換時期と判断させ得る。
【発明の効果】
【００１５】
本発明によると、従来構造の持つ欠点は大幅に緩和ないし解消される。靴の踵に取り付く嵌入軸部は硬質のウレタン樹脂製であるので、十分な強度を確保し得る一方、支配的な厚さを持つトップリフト主体部は軟質ウレタン樹脂製であるので十分な衝撃吸収性能を発揮でき、歩行音が響きすぎるようなこともなく、着用感が良い。また、硬軟の違いがあるとは言え、嵌入軸部もトップリフト主体部も共にウレタン樹脂製であるので、機械的な馴染みが極めて良く、金属とウレタン樹脂との組み合わせに比べれば、インサート成形に依り両者間の接着力は十分に強固なものとすることができ、不測の引き剥がれを良く防止できる。しかも、何より低コストで済む。
【００１６】
本発明の特定の態様に従い、嵌入軸部に基部を設けた場合には、トップリフト主体部との接着力は一層増し、また、複数の嵌入軸部で一つの基部を共用した場合には、単に構造簡素化に寄与すると言うことだけではなく、必然的にトップリフト主体部に埋設される基部の面積ないし体積部分が増すので、これもまた、両者間の接着力増強に役立つ。
【００１７】
さらに、嵌入軸部（基部を設ける場合にはその基部も）とトップリフト主体部の色を変えると、使用上、とても便利な効果が生まれる。靴を履き続けている中にトップリフト主体部が底面側から磨り減ってきた場合、異なる色の部分が見えてきたら、それは嵌入軸部ないしその基部の底面が見えてきたことになるので、そうなったら交換するようにと、靴の取り扱い説明書等で勧めておくことができる。もちろんこの場合、嵌入軸部の底（基部を設ける場合にはその底）の高さ方向位置は、成形時に、トップリフト主体部の磨り減り限度位置となるように予め設定しておく。もっとも、金属の嵌入軸部を設ける場合に比べれば、嵌入軸部12の部分がある程度は減っても構わないので、トップリフト主体部の厚さの殆どが磨り減るまで使用できるという、着用者にとっての経済性もある。
【発明を実施するための最良の形態】
【００１８】
図１には本発明トップリフト10の望ましい一実施形態が示されている。なお、既に説明した従来例の説明に関して用いた符号は、対応する部材に対して本実施形態でも同じものを用いる。本発明の各実施形態を示す図１〜図３においても同様とし、各部材に関し、特に他とは異なる旨を説明する場合の他、援用できる説明に関してはその度ごとの再説は控える。
【００１９】
図１(A) の斜視図、同図(B) の平面図、及び同図(C) の側面図においては、本発明トップリフト10も、静的に見た外観構造だけならば、図４，５に即して既説の従来構造とそう大きな違いはない。靴の踵30の底に当接する踵底当接面11aとこれに対向する底面11bとの間に厚みを有する（つまり、板状ないしブロック状の）トップリフト主体部11と、踵底当接面11aから突出し、図４(A)に示した踵30に穿たれている嵌入孔31内に圧入させられることでトップリフト主体部11を踵30に固着させる嵌入軸部12とがあり、図示の場合には図１(A)，(B)に認められるように、四本の嵌入軸部12が適宜配置で設けられている。予め述べておくと、嵌入軸部12の本数、配置は全くにして任意設計的な問題である。また、各嵌入軸部12の外周面には嵌入孔圧入後の摩擦固着力を高めるためにローレット12c も刻まれていて、もとよりこれは望ましいが、原理的には必要に応じて設けられるものであって、必須ではない。
【００２０】
さらに、図１各図中では見えていないトップリフト主体部底面11bにも、図４(B)に示したように、適当なる平面幾何模様で厚み方向に適当なる凹凸を持つ滑り止め13が設けられていてもちろん良い。
【００２１】
この実施形態では、嵌入軸部12はその根本部分に当該軸部の径よりも大きな面積、特にこの場合は円形断面の嵌入軸部12の軸部径より大径の円盤形状の基部12a が設けられている。そして、図１(B) 中の断面線1D−1Dに沿う断面端面である図１(D) に良く表されているように、嵌入軸部12とその基部12a は一体の一部品であって、基部12a はこの場合、その全体がトップリフト主体部11内に埋設されている。
【００２２】
本発明の特徴の一つは、この基部12aを有する嵌入軸部12の材質が硬質ウレタン樹脂、例えば十分な機械強度の見込まれる硬さであるJIS.D64〜D75の硬質ウレタン樹脂であるのに対し、トップリフト主体部11の材質は十分な衝撃吸収力を呈するに十分な柔らかさ、例えばJIS.A75〜A80程度の柔らかさで良い軟質ウレタン樹脂となっていることである。
【００２３】
このような組み合わせは単なる材料選択性の枠を超え、特定の極めて有利な結果をもたらす。まずもって、嵌入軸部12に選んだ硬質ウレタン樹脂は、実質的に使用状況下において金属嵌入軸部を用いた場合に比して遜色ない程の強度をもって靴の踵30に固着し、折れることなく、トップリフト主体部11の脱落を防止し得る。その一方で、厚みを十分に取ることのできるトップリフト主体部11は、十分に柔らかい軟質ウレタン樹脂製とすることができるので、歩行時の衝撃吸収性に優れ、歩行音も和らげることができて、図４(B) に示したように、底面に滑り止め13を設けた場合にもその効果を大いに発揮できる。
【００２４】
加えて望ましいのは、嵌入軸部12もトップリフト主体部11も、硬軟の相違があるとは言え、共にウレタン樹脂であるので、物性状の馴染みが良く、嵌入軸部12をインサート成形することで、両者間に大いなる接着力を見込むことができる。実際、金属の嵌入軸部を用いる場合に比し、遥かに高い接着力となり、不測にもトップリフト主体部11が嵌入軸部12から引き剥がれてしまうような惧れを大幅に低減し得る。
【００２５】
そして、このように多々なる長所を有するにも拘わらず、コスト的にも十分低廉で、製品として魅力十分なものとなる。
【００２６】
なお、通常の状態では外からは見えない嵌入軸部12の色を、トップリフト主体部11の色と異ならせておくと、トップリフト10の交換時期を着用者に知らせる目安を与えることもできる。例えば図１(C) 中に示すように、トップリフト主体部11の底面11bから、トップリフト主体部内に埋設されている嵌入軸部12（ないしその基部12a)の底面12d までの距離txを適当に定めることで、靴を履き続ける中にトップリフト主体部11が磨り減って行き、やがてのことに、その磨耗の程度がこの距離txに相当するだけの磨耗となると、着用者はトップリフト主体部11の底面にトップリフト主体部11とは異なる色の部分が生じたことに気付く。
【００２７】
これはもちろん、嵌入軸部12（ないしその基部12a)の底面12d が外から見える程に磨耗が進んだことを意味し、これをもって着用者にトップリフト10の寿命が来たことを知らせることができる。交換推奨時期を明瞭に提示し得るトップリフトと言うのも、商品としての付加価値は高い。本発明の場合、嵌入軸部12も硬質ウレタン樹脂であるので、任意の色を着けるのも簡単であり、赤とか黄色等、目立つ色にすることも容易である。ただ、図示の場合、底面12dの高さ位置の異なる基部12aが設けられている例を表しているが、この場合はより地面に近い方の底面12dをして磨耗限界として良い。もちろん、全ての基部12aの底面12dの高さ位置を合わせることも可能である。
【００２８】
図２には本発明の他の実施形態が示されている。図１に示した実施形態と異なる点につき説明すると、まず、この場合、図２(A) に顕かなように三本の嵌入軸部12があり、その中の二本12-1，12-2は一つの矩形形状基部12aを共用しており、当該矩形形状基部12aの長辺方向に互いに適宜離間した関係で設けられている。こうした構造は単に構造簡易性を増す他、実質的に基部12a の面積ないし体積を増すことができるので、トップリフト主体部11との接着力を依り高める効果がある。
【００２９】
残りの一本の嵌入軸部12の基部12aも、円形ではない形状、この場合楕円形とされ、面積が大きくなっている。なお、基部12aの形状は、こうした実施形態からして理解されるように、本質的に任意である。また、全ての嵌入軸部12が一つの基部12aを共用していても良いし、一般的に展開して、嵌入軸部12がｎ本（ｎは２以上の整数）有る場合、ｍを２以上で上記ｎ以下の整数として、当該ｎ本の嵌入軸部の中のｍ本の嵌入軸部が一つの基部を共用するように構成して良い。
【００３０】
さらに、図２(A) 中の断面線2B−2Bに従う断面端面である図２(B) に良く表されているように、この実施形態では基部12aにあって靴の踵30の底を向いた面（上面）12bがトップリフト主体部11の踵底当接面11aに露出している。図１各図に示した実施形態の場合には基部12aの全体がトップリフト主体部11内に完全に埋設されており、もって基部12aの各面の全てがトップリフト主体部11を構成する軟質ウレタン樹脂により包み込まれていた。これはもちろん、高い接着力を得る点で望ましいが、先にも述べたように、材質の馴染みの良さがあるために、この図２に示した実施形態のようにして、基部12aの一表面12bを露出させるようにインサート成形で基部12aをトップリフト主体部11内に埋設しても、それで実質的な必要接着力は確保できることが多い。
【００３１】
図３に示した実施形態は他の簡単な改変例を示したもので、ハイヒールでも特に細い踵を持つような場合には、図示のようにトップリフト主体部11も小さくなり、そこに設けられる嵌入軸部12も一本になる場合もある。なお、図１，２図示実施形態では用いられていた、嵌入軸部12の外周面に設けるローレットを省略し得る場合も例示している。
【００３２】
嵌入軸部12の外観形状ももとより任意であり、これまでの実施形態で図示してきたのはいずれも円形横断面形状であるが、矩形その他、任意の非円形横断面形状であって構わない。太さ、長さももちろん設計的事項である。ただ、嵌入軸部12の位置は、本来は既述したように任意ではあるものの、比較的トップリフト主体部11の外縁に近い部分に配置すると効果的である。
【図面の簡単な説明】
【００３３】
【図１】本発明に従うトップリフトの一実施形態の概略構成図である。
【図２】本発明の他の実施形態におけるトップリフトの概略構成図である。
【図３】本発明のさらに他の実施形態におけるトップリフトの概略的な斜視図である。
【図４】靴の踵とそれに取り付くトップリフトの一般的な説明図である。
【図５】従来提案されていたトップリフトに関する説明図である。
【符号の説明】
【００３４】
10  トップリフト
11  トップリフト主体部
11a トップリフトの踵底当接面
11b トップリフトの底面
12  嵌入軸部
12a 基部
12b 基部の上面
12c ローレット
12d 基部の底面
13  滑り止め
30  靴の踵
31  嵌入孔
【図１】
2005304978.tif 000003
【図２】
2005304978.tif 000004
【図３】
2005304978.tif 000005
【図４】
2005304978.tif 000006
【図５】
2005304978.tif 000007